(57)【特許請求の範囲】
【請求項１】
低圧の帯形導体を相配列方向に対して垂直な方向の両側から固定する低圧帯形導体の支持装置において、
両面に複数の凹凸部が相配列の方向にそれぞれ形成されるとともに、その面に少なくとも前記帯形導体の相配列の数以上のボルト穴が形成された絶縁材料からなる二つの支持部材を、前記帯形導体の相配列方向に対して垂直な方向の両側にそれぞれ配設し、
Ｌ字形状に形成されるとともに、前記支持部材の前記凹凸部に係合する凹凸部が形成されるとともに、その面に相配列方向が長軸である楕円穴が形成された絶縁材料からなる二つのＬ字部材を、前記支持部材の両側に前記両凹凸部をそれぞれ係合させて配設し、かつ二つの前記Ｌ字部材のＬ字形状の間隔を調節して前記帯形導体の相配列方向の厚さに合わせて、前記帯形導体を相配列方向の両側から挟持し、
前記支持部材の前記ボルト穴および前記Ｌ字部材の前記楕円穴を貫通するボルトおよびナットでこれらの部材を結合し、
二つの前記支持部材の対向する面上の相間の位置に離間防止ボルト穴を形成するとともに、これらを貫通する離間防止ボルトおよびナットで両者を結合した、
ことを特徴とする低圧帯形導体の支持装置。
【請求項２】
Ｌ字部材を取り付ける支持部材のボルト穴は、帯形導体が複数の異なる相間隔で配設可能に形成されたことを特徴とする請求項１記載の低圧帯形導体の支持装置。
【発明の詳細な説明】
【０００１】
【発明の属する技術分野】
本発明は、配電盤内などに配設される低圧の帯形導体の相間隔を一定の間隔で支持する低圧帯形導体の支持装置に関する。
【０００２】
【従来の技術】
図３は、従来の低圧帯形導体の支持装置の一例を示したものである。
図３において、三相の帯形導体１ａ，１ｂ，１ｃは必要な相間隔を有して配設されており、樹脂やＦＲＰあるいは木材などの絶縁材料で形成され、帯形導体１ａ，１ｂ，１ｃの厚さよりわずかに大きな凹形の溝１０を相配列の数だけ設けた支持部材９を、帯形導体１ａ，１ｂ，１ｃの相配列方向に対して垂直な方向の両側にそれぞれ配置し、帯形導体１ａ，１ｂ，１ｃを溝１０内に嵌め込む。
【０００３】
また、帯形導体１ａ，１ｂ，１ｃの落下やずれが起こらないように、二つの支持部材９の対向する面の相間の位置に、ボルト穴を形成し、それらを貫通する離間防止ボルト３とナット４で結合し、帯形導体１ａ，１ｂ，１ｃを支持して相間隔を維持している。なお、支持部材９の溝１０の加工は、樹脂材料の場合には、型による成形加工が行われ、ＦＲＰや木材等の材料の場合には、切削等の除去加工によって行われる場合が多い。
【０００４】
【発明が解決しようとする課題】
上記従来の低圧帯形導体の支持装置では、母線を構成する帯形導体１ａ，１ｂ，１ｃの厚さや枚数あるいは異相間の距離が異なれば、それにあわせて凹形の溝１０の加工を施さなければならない。したがって、支持部材９の種類を多く保有しなければならないという問題がある。
【０００５】
また、溝１０の加工を型による成形加工で行う場合には、帯形導体１ａ，１ｂ，１ｃの様々な配列に対応するために、多くの型を必要とし、除去加工で行う場合には、その都度加工が必要なため、製作コストが割高になるという問題がある。
【０００６】
さらに、仕様変更等で帯形導体１ａ，１ｂ，１ｃのサイズや相間隔の寸法を設計変更する際には、新たに製作しなけばならないという問題がある。
【０００７】
そこで、本発明は、帯形導体の幅、厚さ、枚数あるいは相間距離等が異なっても、同じ部品を使用可能とすることにより、部品の共通化と部品の製作コストの低減、さらに設計変更が容易に可能な低圧帯形導体の支持装置を提供することを目的とする。
【０００８】
【課題を解決するための手段】
本発明では、低圧の帯形導体を相配列方向に対して垂直な方向の両側から固定する低圧帯形導体の支持装置において、両面に複数の凹凸部が相配列の方向にそれぞれ形成されるとともに、その面に少なくとも前記帯形導体の相配列の数以上のボルト穴が形成された絶縁材料からなる二つの支持部材を、前記帯形導体の相配列方向に対して垂直な方向の両側にそれぞれ配設し、Ｌ字形状に形成されるとともに、前記支持部材の前記凹凸部に係合する凹凸部が形成されるとともに、その面に相配列方向が長軸である楕円穴が形成された絶縁材料からなる二つのＬ字部材を、前記支持部材の両側に前記両凹凸部をそれぞれ係合させて配設し、かつ二つの前記Ｌ字部材のＬ字形状の間隔を調節して前記帯形導体の相配列方向の厚さに合わせて、前記帯形導体を相配列方向の両側から挟持し、前記支持部材の前記ボルト穴および前記Ｌ字部材の前記楕円穴を貫通するボルトおよびナットでこれらの部材を結合し、二つの前記支持部材の対向する面上の相間の位置に離間防止ボルト穴を形成するとともに、これらを貫通する離間防止ボルトおよびナットで両者を結合する。
【０００９】
また、Ｌ字部材を取り付ける支持部材のボルト穴は、帯形導体が複数の異なる相間隔で配設可能に形成されることが好ましい。
【００１０】
【発明の実施の形態】
図１は本発明の低圧帯形導体の支持装置の実施の形態の一例を示すものである。また、図２はその詳細図である。
これらの図において、支持部材２ａは樹脂あるいはＦＲＰなどの絶縁材料からなり、両面に複数の凹凸部５が帯形導体１ａ，１ｂ，１ｃの相配列の方向にそれぞれ形成されるとともに、その面に少なくとも相配列の数以上のボルト穴１１が形成される。また、二つの支持部材２ａは帯形導体１ａ，１ｂ，１ｃの相配列方向に対して垂直な方向の両側に配設される。
【００１１】
２ｂはＬ字部材で、Ｌ字形状に形成されるとともに、支持部材２ａの凹凸部５に係合する凹凸部１２が形成され、その面内に相配列方向が長軸である楕円穴１３が形成された樹脂あるいはＦＲＰなどの絶縁材料からなる。二つのＬ字部材２ｂは凹凸部１２が支持部材２ａの凹凸部５に係合するように両側から配設され、Ｌ字部材２ｂのＬ字形状の間隔を調整して、帯形導体１ａ，１ｂ，１ｃの相配列方向の厚さにあわせて導体嵌め込み部６を形成する。
【００１２】
支持部材２ａのボルト穴１１とＬ字部材２ｂの楕円穴１３には、ボルト７が貫挿され、ナット８によって結合される。また、二つの支持部材２ａの対向する面の相間の位置には離間防止ボルト穴１４が形成されており、それらを貫通する離間防止ボルト３とナット４で両者が結合される。
【００１３】
次に、かかる低圧帯形導体の支持装置において、帯形導体１ａ，１ｂ，１ｃを支持する方法について説明する。
まず、帯形導体１ａ，１ｂ，１ｃの相間隔に合わせて、支持部材２ａのボルト穴１１を選び、二つのＬ字部材２ｂの組を帯形導体１ａ，１ｂ，１ｃの数だけ取付ける。このとき、二つのＬ字部材２ａのＬ字形状の間隔を帯形導体１ａ，１ｂ，１ｃの厚さに合わせて、支持部材２ａの凹凸部５にＬ字部材２ｂの凹凸部１２を調節して係合させ、ボルト７をＬ字部材２ｂの楕円穴１３および支持部材２ａのボルト穴１１に貫通させ、ナット８で固定して、導体嵌め込み部６を形成する。
【００１４】
なお、この場合、Ｌ字部材２ｂには楕円穴１３が形成されているので、二つのＬ字部材２ｂの間隔の調整は容易に実施でき、また、支持部材２ａとＬ字部材２ｂとは、それぞれの凹凸部５，１２で係合しているので、ずれることもない。
【００１５】
その後、一方（下方）の支持部材２ａを配電盤内のフレーム（図示せず）に固定し、支持部材２ａとＬ字部材２ｂで形成された嵌め込み部６に帯形導体１ａ，１ｂ，１ｃを嵌め込んだ後、他方（上方）の支持部材２ａの嵌め込み部６を帯形導体１ａ，１ｂ，１ｃに嵌め込み、他方の支持部材２ａを配電盤内のフレームに固定する。
【００１６】
次に、二つの支持部材２ａの離間防止ボルト穴１４に離間防止ボルト３を貫通させ、ナット４で固定する。これにより、帯形導体１ａ，１ｂ，１ｃは落下やずれが生ずることなく、確実に固定される。
なお、本支持装置の配電盤内のフレームへの固定は、少なくとも２組の支持装置について実施すればよい。
【００１７】
【発明の効果】
以上のように、本発明の低圧帯形導体の支持装置によれば、母線を構成する帯形導体の厚さや幅の寸法が異なっていても、各相に取り付けられるＬ字部材と支持部材に形成されている凹凸部の嵌合を調整することで、各相の帯形導体を挟持する部分の寸法が調整可能であるため、同一の部品の組み合わせで帯形導体を支持することができる。
【００１８】
また、相間距離が異なる場合は、支持部材に予め複数の相間隔が採用可能なようにボルト穴を設けておくことにより、同一の部品の組み合わせで帯形導体を支持することが可能である。したがって、部品点数を削減でき、成形加工で生産すれば、大量生産が可能で、コスト削減が可能となる。
さらに、設計変更にも、容易に対応が可能になる。
【図面の簡単な説明】
【図１】本発明の低圧帯形導体の支持装置の実施の形態の一例を示すもので、（ａ）は上面図、（ｂ）は側面図、（ｃ）は（ａ）におけるＡ−Ａ断面図である。
【図２】その斜視図である。
【図３】従来の低圧帯形導体の支持装置の一例を示すもので、（ａ）は上面図、（ｂ）は（ａ）におけるＢ−Ｂ断面図である。
【符号の説明】
１ａ，１ｂ，１ｃ  帯形導体
２ａ  支持部材
２ｂ  Ｌ字部材
３  離間防止ボルト
４  ナット
５  凹凸部
６  導体嵌め込み部
７  ボルト
８  ナット
１１  ボルト穴
１２  凹凸部
１３  楕円穴
１４  離間防止ボルト穴
【図１】
0003572606.tif 000002
【図２】
0003572606.tif 000003
【図３】
0003572606.tif 000004